(57)【要約】【課題】液晶プロジェクタなどの投射装置において、スクリーンの周辺に強い外乱光があっても、精度の高い自動フォーカス調整を可能にする。【解決手段】フォーカス調整及びズーム調整が可能な投射レンズ２０を備え、この投射レンズ２０を介して、スクリーンＳ上に画像を投射する投射装置１００であって、投射レンズ２０を介して、スクリーンＳ上にフォーカスパターンを投射するフォーカスパターン生成部４４と、スクリーンＳ上に投射されたフォーカスパターンを撮像するカメラ３０と、カメラ３０の撮像イメージにフォーカスエリアを設定するフォーカスエリア設定部（マスク回路３１及びフォーカスエリア生成部４５）と、撮像イメージのフォーカスエリア部分を分析しつつ、投射レンズ２０のフォーカス調整を自動的に行うオートフォーカス制御部４１とを備えて構成される。【選択図】      図１
2004205684.tif 000002
【特許請求の範囲】
【請求項１】
フォーカス調整及びズーム調整が可能な投射レンズを備え、この投射レンズを介して、スクリーン上に画像を投射する投射装置であって、
前記投射レンズを介して、前記スクリーン上にフォーカスパターンを投射するフォーカスパターン投射部と、
前記スクリーン上に投射されたフォーカスパターンを撮像するカメラと、
前記カメラの撮像イメージにフォーカスエリアを設定するフォーカスエリア設定部と、
前記撮像イメージのフォーカスエリア部分を分析しつつ、前記投射レンズのフォーカス調整を自動的に行うオートフォーカス制御部とを備える
ことを特徴とする投射装置。
【請求項２】
前記オートフォーカス制御部が、前記撮像イメージにおけるフォーカスエリア部分の画像レベルにもとづいて、前記カメラの蓄積時間調整を行うことを特徴とする請求項１記載の投射装置。
【請求項３】
前記オートフォーカス制御部が、前記撮像イメージにおけるフォーカスエリア部分の高周波成分が最大となるように、前記投射レンズのフォーカス調整を行うことを特徴とする請求項１又は２記載の投射装置。
【請求項４】
前記フォーカスエリア設定部が、前記投射レンズのズーム調整位置に応じて、前記撮像イメージにフォーカスエリアを設定することを特徴とする請求項１〜３のいずれかに記載の投射装置。
【請求項５】
前記フォーカスエリア設定部が、前記投射レンズのズーム調整位置に適合したフォーカスエリアデータを生成することを特徴とする請求項１〜４のいずれかに記載の投射装置。
【請求項６】
前記フォーカスエリア設定部が、複数のフォーカスエリアデータを有し、その中から前記投射レンズのズーム調整位置に適合したフォーカスエリアデータを選択することを特徴とする請求項１〜４のいずれかに記載の投射装置。
【請求項７】
前記オートフォーカス制御部が、前記投射レンズのフォーカス調整時に、前記投射レンズのズーム調整を禁止することを特徴とする請求項１〜６のいずれかに記載の投射装置。
【請求項８】
フォーカス調整及びズーム調整が可能な投射レンズを備え、この投射レンズを介して、スクリーン上に画像を投射する投射装置のフォーカス調整方法であって、
前記投射レンズを介して、前記スクリーン上にフォーカスパターンを投射し、
前記スクリーン上に投射されたフォーカスパターンをカメラで撮像し、
前記カメラの撮像イメージにフォーカスエリアを設定し、
前記撮像イメージのフォーカスエリア部分を分析しつつ、前記投射レンズのフォーカス調整を自動的に行う
ことを特徴とする投射装置のフォーカス調整方法。
【発明の詳細な説明】
【０００１】
【発明の属する技術分野】
本発明は、投射レンズを介して、スクリーン上に画像を投射する液晶プロジェクタなどの投射装置に関し、特に、投射レンズのフォーカス調整を自動的に行うことができる投射装置及びそのフォーカス調整方法に関する。
【０００２】
【従来の技術】
近年、スクリーン上に投射したフォーカスパターンをカメラで撮像するとともに、その撮像イメージを分析しながら、投射レンズのフォーカス調整を自動的に行う投射装置及びそのフォーカス調整方法が提案されている（例えば、特許文献１参照。）。
【０００３】
特許文献１に示されるフォーカス調整方法は、上記撮像イメージの所定信号成分が、スクリーン上におけるフォーカスパターンの合焦状態に応じて変化することを利用したものであり、例えば、上記撮像イメージの高周波成分を検出しつつ、この高周波成分が最大となるように投射レンズをフォーカス調整することにより、スクリーン上のフォーカスパターンを合焦させる。
【０００４】
上記カメラは、ＣＣＤやＣＭＯＳなどのイメージセンサを備えて構成されており、スクリーン上に投射したフォーカスパターンを撮像する際には、銀塩カメラのシャッタースピード調整に相当する蓄積時間調整が行われる。つまり、上記カメラの撮像イメージは、蓄積時間の長短に応じて明るさ（画像レベル）が変化し、この時間が短すぎると真っ黒になり、長すぎると飽和して真っ白になってしまうため、撮像イメージの画像レベルを検出し、これが所定レベルとなるように蓄積時間調整を行う必要がある。
【０００５】
【特許文献１】
特開２０００−２８９０１号公報（第５頁、第３図）
【０００６】
【発明が解決しようとする課題】
ところで、液晶プロジェクタなどの投射装置は、様々な場所で使用されるため、スクリーンの近傍に、強い光を発生する照明器具や、強い光を反射させる鏡が存在することも想定される。このような場所で前述した自動フォーカス調整を実行すると、カメラが強い外乱光を捉え、その明るさを基準として蓄積時間調整が行われる可能性がある。このような状況では、相対的にフォーカスパターンの画像レベルが落ちるため、自動フォーカス調整の精度が低下し、最悪の場合は、自動フォーカス調整ができなくなってしまう。
【０００７】
また、投射装置は、通常、投射画面の大きさを調整するために、ズーム調整機構を備えているため、ズーム比を小さくしてスクリーンに投射する状況では、図６の（ａ）に示すように、カメラの撮像範囲が相対的に広くなり、外乱光の影響を受けやすくなるという問題がある。
また、図６の（ａ）、（ｂ）に示すように、投射装置のズーム調整を行うと、カメラが捉えるフォーカスパターンの大きさも相対的に変化するため、前述した所定信号成分の特性が変化し、自動フォーカス調整の精度が低下する可能性がある。
【０００８】
本発明は、上記の事情にかんがみなされたものであり、スクリーン上に投射したフォーカスパターンをカメラで撮像し、その撮像イメージを分析しつつ、投射レンズのフォーカス調整を自動的に行うものでありながら、カメラの撮像イメージにフォーカスエリアを設定し、このフォーカスエリア部分だけを分析しながらフォーカス調整を行うことにより、強い外乱光の影響を受けず、精度の高いフォーカス調整を行うことができる投射装置及びそのフォーカス調整方法の提供を目的とする。
【０００９】
【課題を解決するための手段】
上記目的を達成するため本発明の投射装置は、フォーカス調整及びズーム調整が可能な投射レンズを備え、この投射レンズを介して、スクリーン上に画像を投射する投射装置であって、前記投射レンズを介して、前記スクリーン上にフォーカスパターンを投射するフォーカスパターン投射部と、前記スクリーン上に投射されたフォーカスパターンを撮像するカメラと、前記カメラの撮像イメージにフォーカスエリアを設定するフォーカスエリア設定部と、前記撮像イメージのフォーカスエリア部分を分析しつつ、前記投射レンズのフォーカス調整を自動的に行うオートフォーカス制御部とを備える構成としてある。
【００１０】
投射装置をこのように構成すれば、カメラの撮像イメージにフォーカスエリアを設定し、このフォーカスエリア部分だけを分析しながらフォーカス調整を行うことにより、撮像イメージに含まれる照明器具、鏡などの強い外乱光に影響を受けることなく、投射レンズのフォーカス調整を行うことが可能になる。
これにより、撮像イメージに含まれる強い外乱光の影響で、自動フォーカス調整の精度が低下したり、自動フォーカス調整ができなくなるといった問題を解決することができる。
【００１１】
また、本発明の投射装置は、前記オートフォーカス制御部が、前記撮像イメージにおけるフォーカスエリア部分の画像レベルにもとづいて、前記カメラの蓄積時間調整を行う構成としてある。
投射装置をこのように構成すれば、カメラが強い外乱光を捉えたとしても、その明るさを基準とすることなく、適正な蓄積時間調整を行うことが可能になる。これにより、誤った蓄積時間調整を回避し、精度の高い自動フォーカス調整を行うことができる。
【００１２】
また、本発明の投射装置は、前記オートフォーカス制御部が、前記撮像イメージにおけるフォーカスエリア部分の高周波成分が最大となるように、前記投射レンズのフォーカス調整を行う構成としてある。
投射装置をこのように構成すれば、カメラが強い外乱光を捉えたとしても、その影響を受けることなく、高周波成分の最大値を検出することができるため、自動フォーカス調整の精度を向上させることが可能になる。
【００１３】
また、本発明の投射装置は、前記フォーカスエリア設定部が、前記投射レンズのズーム調整位置に応じて、前記撮像イメージにフォーカスエリアを設定する構成としてある。
投射装置をこのように構成すれば、投射レンズのズーム調整に拘わらず、フォーカスパターンだけを含むように、フォーカスエリアを設定することができるため、撮像データに含まれる強い外乱光を確実に排除することが可能になる。
しかも、フォーカスエリアにおけるフォーカスパターンの相対的な大きさが、ズーム調整位置に拘わらず一定となるため、常に適正な高周波成分特性を得て、精度の高い自動フォーカス調整を行うことができる。
【００１４】
また、本発明の投射装置は、前記フォーカスエリア設定部が、前記投射レンズのズーム調整位置に適合したフォーカスエリアデータを生成する構成としてある。
投射装置をこのように構成すれば、ズーム調整に応じてフォーカエリアを無段階状に変化させるなど、きわめて精度の高いフォーカスエリア設定を行うことが可能になる。
【００１５】
また、本発明の投射装置は、前記フォーカスエリア設定部が、複数のフォーカスエリアデータを有し、その中から前記投射レンズのズーム調整位置に適合したフォーカスエリアデータを選択する構成としてある。
投射装置をこのように構成すれば、ズーム調整に応じてフォーカスエリアデータを生成する場合に比べ、フォーカスエリアの設定処理を簡略化することが可能になる。
【００１６】
また、本発明の投射装置は、前記オートフォーカス制御部が、前記投射レンズのフォーカス調整時に、前記投射レンズのズーム調整を禁止する構成としてある。
投射装置をこのように構成すれば、自動フォーカス調整中に誤ってズーム調整操作が行われたとしても、問題なく自動フォーカス調整を継続することができる。
【００１７】
また、上記目的を達成するため本発明における投射装置のフォーカス調整方法は、フォーカス調整及びズーム調整が可能な投射レンズを備え、この投射レンズを介して、スクリーン上に画像を投射する投射装置のフォーカス調整方法であって、前記投射レンズを介して、前記スクリーン上にフォーカスパターンを投射し、前記スクリーン上に投射されたフォーカスパターンをカメラで撮像し、前記カメラの撮像イメージにフォーカスエリアを設定し、前記撮像イメージのフォーカスエリア部分を分析しつつ、前記投射レンズのフォーカス調整を自動的に行う方法としてある。
投射装置のフォーカス調整方法をこのような方法にすれば、撮像イメージのフォーカスエリア部分だけを分析しながらフォーカス調整を行うことができるため、強い外乱光の影響を受けず、精度の高いフォーカス調整を行うことが可能になる。
【００１８】
【発明の実施の形態】
以下、本発明の実施形態について、図面を参照して説明する。
［第一実施形態］
まず、本発明の第一実施形態について、図１〜図４を参照して説明する。
図１は、第一実施形態における投射装置及びスクリーンの斜視図、図２は、第一実施形態における投射装置の構成を示すブロック図である。
これらの図に示すように、投射装置１００は、投射回路１０、投射レンズ２０、カメラ３０、制御部４０などを備えて構成されている。
【００１９】
投射回路１０は、外部からの投射信号又は画像メモリ１１に記憶されたフォーカスパターンデータを、切替回路１２を介して入力する。外部からの投射信号は、パソコンなどが出力するＲＧＢ信号やビデオ信号であり、フォーカスパターンデータは、制御部４０が画像メモリ１１に書き込んだ画像データである。そして、投射回路１０は、入力した投射信号又はフォーカスパターンデータを、液晶パネルなどの画像形成デバイス上に画像形成し、これが投射レンズ２０を介してスクリーンＳ上に投射される。
【００２０】
投射レンズ２０は、フォーカス調整機構及びズーム調整機構を備える。フォーカス調整機構を構成するフォーカスレンズ駆動モータ２１は、フォーカスレンズ駆動回路２２によって駆動され、投射レンズ２０のフォーカスレンズ（図示せず）を移動させる。また、フォーカスレンズの移動位置は、フォーカスレンズ位置センサ２３によって検出され、フォーカスレンズ位置検出回路２４を介して制御部４０に入力される。
【００２１】
一方、ズーム調整機構を構成するズームレンズ駆動モータ２５は、ズームレンズ駆動回路２６によって駆動され、投射レンズ２０のズームレンズ（図示せず）を移動させる。また、ズームレンズの移動位置は、ズームレンズ位置センサ２７によって検出され、ズームレンズ位置検出回路２８を介して制御部４０に入力される。
【００２２】
カメラ３０は、ＣＣＤやＣＭＯＳなどのイメージセンサを備えて構成され、スクリーンＳ上に投射されたフォーカスパターンを、制御部４０からの撮像指示信号に応じて撮像する。その際、カメラ３０は、制御部４０から指定された蓄積時間にもとづいて、撮像イメージを形成する。
ここで撮像された撮像イメージデータは、マスク回路３１（フォーカスエリア設定部の一部）に出力され、ここでマスク処理される。つまり、マスク回路３１は、制御部４０から入力されるフォーカスエリア信号にもとづき、撮像イメージ上にフォーカスエリアを設定し、フォーカスエリア外の画像信号レベルを０とする。
【００２３】
マスク回路３１から出力される撮像イメージデータは、画像レベル検出回路３２又は高周波成分検出回路３３を経由して制御部４０に入力される。その切り替えは、制御部４０が切替回路３４を切り替えることにより行われる。
画像レベル検出回路３２は、撮像イメージデータの画像レベルを検出するものであり、その検出信号は、カメラ３０の蓄積時間調整に利用される。
また、高周波成分検出回路３３は、撮像イメージデータの高周波成分を検出するものであり、その検出信号は、投射レンズ２０の自動フォーカス調整に利用される。つまり、撮像イメージに含まれる高周波成分は、スクリーンＳ上におけるフォーカスパターンの合焦状態に応じて変化し、これをもとに後述する自動フォーカス調整が行われる。
【００２４】
制御部４０は、ハードウエアとしてＣＰＵ、ＲＯＭ、ＲＡＭなどを備えており、ＲＯＭに書き込まれるプログラムによって、オートフォーカス制御部４１、切替部４２、４３、フォーカスパターン生成部（フォーカスパターン投射部）４４、フォーカスエリア生成部（フォーカスエリア設定部の一部）４５などを構成する。
【００２５】
オートフォーカス制御部４１は、パソコンやリモコンからのオートフォーカス開始信号に応じて、切替回路１２、切替部４２、４３、フォーカスパターン生成部４４、フォーカスエリア生成部４５などにオートフォーカスモード信号を出力するとともに、画像レベル検出回路３２からの画像レベル信号にもとづいて、カメラ３０の蓄積時間調整を行い、その後、高周波成分検出回路３３からの高周波成分信号を分析しつつ、投射レンズ２０のフォーカス調整を自動的に行う。
【００２６】
切替部４２は、フォーカスレンズ駆動回路２２への出力信号を切り替える部分であり、通常モードでは、パソコンやリモコンからのフォーカスレンズ駆動信号をフォーカスレンズ駆動回路２２へ出力し、オートフォーカスモードでは、オートフォーカス制御部４１からのフォーカスレンズ駆動信号をフォーカスレンズ駆動回路２２へ出力するように切り替え動作される。
【００２７】
切替部４３は、ズームレンズ駆動回路２６への信号出力をＯＮ／ＯＦＦする部分であり、通常モードでは、パソコンやリモコンからのズームレンズ駆動信号をズームレンズ駆動回路２６へ出力し、オートフォーカスモードでは、それを禁止するように切り替え動作される。
【００２８】
フォーカスパターン生成部４４は、自動フォーカス調整時にスクリーンＳに投射するフォーカスパターンのデータを生成する部分であり、ここで生成されたフォーカスパターンデータは、画像メモリ１１に書き込まれる。
【００２９】
フォーカスエリア生成部４５は、ズームレンズ位置検出回路２８の出力に応じて、フォーカスエリアのデータを設定し、これをマスク回路３１に出力する部分である。このとき、フォーカスエリアは、投射レンズ２０のズーム調整位置にかかわらず、撮像イメージのフォーカスパターン部分だけを囲むように設定される。
これにより、撮像イメージに含まれる照明器具、鏡などの強い外乱光に影響を受けることなく、カメラ３０の蓄積時間を調整し、適正レベルの撮像イメージにもとづいて投射レンズ２０の自動フォーカス調整を行うことが可能になる。
また、フォーカスエリアにおけるフォーカスパターンの相対的な大きさが、ズーム調整位置に拘わらず一定となるため、常に適正な高周波成分特性を得て、精度の高い自動フォーカス調整を行うことが可能になる。
【００３０】
次に、投射装置１００の動作について、図３及び図４を参照して説明する。
図３は、第一実施形態における投射装置の動作ステップ（オートフォーカスモード）を示すフローチャート、図４は、第一実施形態の投射装置においてズーム比を変化させた場合の撮像イメージを示す説明図である。
【００３１】
外部からオートフォーカス開始信号が入力されると、制御部４０がオートフォーカスモードとなり、図３に示す動作ステップによって投射レンズ２０の自動フォーカス調整が実行される。オートフォーカスモードの動作ステップは、図３に示すように、オートフォーカス開始処理を行うステップ（Ｓ１０１）と、フォーカスパターンをスクリーンＳに投射するステップ（Ｓ１０２）と、スクリーンＳ上に投射されたフォーカスパターンをカメラ３０で撮像するステップ（Ｓ１０３）と、撮像イメージにフォーカスエリアを設定するステップ（Ｓ１０４）と、撮像イメージにおけるフォーカスエリア部分の画像レベルを読み込むステップ（Ｓ１０５）と、この画像レベルにもとづいてカメラ３０の蓄積時間調整を行うステップ（Ｓ１０６）と、蓄積時間調整の終了を判断するステップ（Ｓ１０７）と、切替回路３４を切り替えて撮像イメージにおけるフォーカスエリア部分の高周波成分信号を読み込むステップ（Ｓ１０８）と、投射レンズ２０のフォーカスレンズを高周波成分信号が最大となる位置に合せるステップ（Ｓ１０９）と、フォーカス調整の終了を判断するステップ（Ｓ１１０）と、オートフォーカス終了処理を行うステップ（Ｓ１１１）とから構成される。以下、各ステップを図２の構成に沿って説明する。
【００３２】
まず、オートフォーカス制御部４１からオートフォーカスモード信号を出力し、切替回路１２、３４及び切替部４２、４３の切り替え行う。これにより、オートフォーカス制御部４１によるフォーカス調整が優先されるとともに、外部信号によるズーム調整が禁止される。（Ｓ１０１）
【００３３】
次に、オートフォーカスモード信号によりフォーカスパターン生成部４４を動作させ、フォーカスパターンデータを画像メモリ１１に書き込む。
切替回路１２の切り替えにより、投射回路１０へは画像メモリ１１のフォーカスパターンデータが出力され、このフォーカスパターンが投射レンズ２０を介してスクリーンＳに投射される。（Ｓ１０２）
【００３４】
スクリーンＳにフォーカスパターンが投射されると、オートフォーカス制御部４１が撮像指示信号を出力する。カメラ３０は、撮像指示信号に応じて、スクリーンＳに投射されたフォーカスパターンを撮像し、その撮像イメージデータをマスク回路３１に出力する。（Ｓ１０３）
【００３５】
マスク回路３１は、フォーカスエリア生成部４５との協働により、投射レンズ２０のズーム調整位置に応じたフォーカスエリアを撮像イメージ上に設定し、フォーカスエリア外の画像レベルを０にする。（Ｓ１０４）
これにより、撮像イメージは、図４に示すように、ズーム調整位置にかかわらず、フォーカスパターンだけを含むものになる。
【００３６】
オートフォーカス制御部４１は、画像レベル検出回路３２から撮像イメージの画像レベル信号を入力しつつ（Ｓ１０５）、これが所定レベルになるようにカメラ３０の蓄積時間設定を更新し、蓄積時間の調整を行う（Ｓ１０６）。この蓄積時間調整は、画像レベル信号が所定レベルになった時点で終了と判断される。（Ｓ１０７）
【００３７】
次に、オートフォーカス制御部４１は、切替回路３４を切り替えて高周波成分検出回路３３から撮像イメージにおけるフォーカスエリア部分の高周波成分信号を入力する（Ｓ１０８）。
そして、この高周波成分が最大になる方向にフォーカスレンズを移動し、最終的に高周波成分が最大になる位置にフォーカスレンズを合せる。その間、オートフォーカス制御部４１では、フォーカスレンズ位置検出回路２４の出力を監視しながらフォーカスレンズの移動制御を行う。（Ｓ１０９）
【００３８】
そして、フォーカス調整の終了を判断すると（Ｓ１１０）、オートフォーカス制御部４１からのオートフォーカスモード信号出力を停止することにより、切替回路１２及び切替部４２、４３を通常モード側へ切り替えるとともに、オートフォーカス終了信号を出力してオートフォーカスモードを終了する。（Ｓ１１１）
【００３９】
上記のように構成された第一実施形態の投射装置１００によれば、スクリーンＳ上に投射したフォーカスパターンをカメラ３０で撮像し、その撮像イメージを分析しつつ、投射レンズ２０のフォーカス調整を自動的に行うものでありながら、カメラ３０の撮像イメージにフォーカスエリアを設定し、このフォーカスエリア部分だけを分析しながらフォーカス調整を行うことにより、撮像イメージに含まれる照明器具、鏡などの強い外乱光に影響を受けることなく、投射レンズ２０のフォーカス調整を行うことが可能になる。
これにより、撮像イメージに含まれる強い外乱光の影響で、自動フォーカス調整の精度が低下したり、自動フォーカス調整ができなくなるといった問題を解決することができる。
【００４０】
また、オートフォーカス制御部４１は、撮像イメージにおけるフォーカスエリア部分の画像レベルにもとづいて、カメラ３０の蓄積時間調整を行うため、カメラ３０が強い外乱光を捉えたとしても、その明るさを基準とすることなく、適正な蓄積時間調整を行うことが可能になる。これにより、誤った蓄積時間調整を回避し、精度の高い自動フォーカス調整を行うことができる。
【００４１】
また、オートフォーカス制御部４１は、撮像イメージにおけるフォーカスエリア部分の高周波成分が最大となるように、投射レンズ２０のフォーカス調整を行うため、カメラが強い外乱光を捉えたとしても、その影響を受けることなく、高周波成分の最大値を検出することができ、その結果、自動フォーカス調整の精度を向上させることが可能になる。
【００４２】
また、フォーカスエリアは、投射レンズ２０のズーム調整位置に応じて、撮像イメージ上に設定されるため、投射レンズ２０のズーム調整に拘わらず、フォーカスパターンだけを含むように、フォーカスエリアを設定することができ、そのため、撮像データに含まれる強い外乱光を確実に排除することが可能になる。
しかも、フォーカスエリアにおけるフォーカスパターンの相対的な大きさが、ズーム調整位置に拘わらず一定となるため、常に適正な高周波成分特性を得て、精度の高い自動フォーカス調整を行うことができる。
【００４３】
［第二実施形態］
次に、本発明の第二実施形態について、図５を参照して説明する。ただし、第一実施形態と共通する部分は、同じ符号を付け、第一実施形態の説明を援用する。
図５は、第二実施形態における投射装置の構成を示すブロック図である。
この図に示すように、第二実施形態の投射装置１００は、フォーカスエリア生成部４５に代えて、フォーカスエリア選択部４６、エリアデータ部４７及び切替部４８を備える点が第一実施形態と相違する。
【００４４】
エリアデータ部４７は、大きさが異なるＮ個のフォーカスエリアデータを記憶している。フォーカスエリア選択部４６は、投射レンズ２０のズーム調整位置に応じて、フォーカスエリアデータを選択し、切替部４８にエリア選択信号を出力する。切替部４８は、エリア選択信号に対応したフォーカスエリアデータをエリアデータ部４７から読み出し、これを画像メモリ１１に書き込む。これにより、第一実施形態とほぼ同じ効果が得られる。
【００４５】
【発明の効果】
以上のように、本発明によれば、スクリーン上に投射したフォーカスパターンをカメラで撮像し、その撮像イメージを分析しつつ、投射レンズのフォーカス調整を自動的に行うものでありながら、カメラの撮像イメージにフォーカスエリアを設定し、このフォーカスエリア部分だけを分析しながらフォーカス調整を行うことにより、強い外乱光の影響を受けず、精度の高いフォーカス調整を行うことができる。
【図面の簡単な説明】
【図１】第一実施形態における投射装置及びスクリーンの斜視図である。
【図２】第一実施形態における投射装置の構成を示すブロック図である。
【図３】第一実施形態における投射装置の動作ステップ（オートフォーカスモード）を示すフローチャートである。
【図４】第一実施形態の投射装置においてズーム比を変化させた場合の撮像イメージを示す説明図である。
【図５】第二実施形態における投射装置の構成を示すブロック図である。
【図６】従来の投射装置においてズーム比を変化させた場合の撮像イメージを示す説明図である。
【符号の説明】
１００  投射装置
１０  投射回路
２０  投射レンズ
２１  フォーカスレンズ駆動モータ
２３  フォーカスレンズ位置センサ
２５  ズームレンズ駆動モータ
２７  ズームレンズ位置センサ
３０  カメラ
３１  マスク回路
３２  画像レベル検出回路
３３  高周波成分検出回路
４０  制御部
４１  オートフォーカス制御部
４４  フォーカスパターン生成部
４５  フォーカスエリア生成部
４６  フォーカスエリア選択部
Ｓ  スクリーン
【図１】
2004205684.tif 000003
【図２】
2004205684.tif 000004
【図３】
2004205684.tif 000005
【図４】
2004205684.tif 000006
【図５】
2004205684.tif 000007
【図６】
2004205684.tif 000008